(57)【要約】【課題】ユーザにとって有用な情報を提供することを可能とする。【解決手段】学生情報格納部１２は、学生に関する学生情報であって、当該学生を表現する複数のタグを含む学生情報を格納する。企業情報格納部１４は、企業に関する企業情報を格納する。メッセージ取得部１６は、企業端末において作成された企業から学生へのメッセージを取得する。タグ取得部１７は、学生情報格納部１２に格納されている学生情報に含まれる複数のタグのうち、企業端末において選択された少なくとも１つのタグを取得する。情報提供部１８は、企業情報格納部１４に格納されている企業情報、メッセージ取得部１６によって取得されたメッセージ及びタグ取得部１７によって取得されたタグを学生端末に送信する。【選択図】図２
2018081547.tif 000002
【特許請求の範囲】
【請求項１】
第１のユーザによって使用される第１のユーザ端末及び前記第１のユーザとは異なる第２のユーザによって使用される第２のユーザ端末と通信可能に接続される情報提供装置において、
前記第１のユーザに関する第１のユーザ情報であって、当該第１のユーザを表現する複数のタグを含む第１のユーザ情報を格納する第１の格納手段と、
前記第２のユーザに関する第２のユーザ情報を格納する第２の格納手段と、
前記第２のユーザ端末において作成された前記第２のユーザから前記第１のユーザへのメッセージを取得する第１の取得手段と、
前記第１の格納手段に格納されている第１のユーザ情報に含まれる複数のタグのうち、前記第２のユーザ端末において選択された少なくとも１つのタグを取得する第２の取得手段と、
前記第２の格納手段に格納されている第２のユーザ情報、前記取得されたメッセージ及び前記取得されたタグを前記第１のユーザ端末に送信する情報提供手段と
を具備することを特徴とする情報提供装置。
【請求項２】
検索手段及び指定手段を更に具備し、
前記第１のユーザ情報は、前記第１のユーザを表現する複数の画像を更に含み、
前記検索手段は、前記第２のユーザによって指定された検索条件に基づいて第１のユーザを検索し、
前記情報提供手段は、前記検索された第１のユーザに関する第１のユーザ情報に含まれる複数のタグ及び複数の画像を検索結果として前記第２のユーザ端末に送信し、
前記第２の取得手段は、前記送信された前記検索結果に基づいて前記第２のユーザ端末において指定された前記第１のユーザに関する第１のユーザ情報に含まれる複数のタグのうちの少なくとも１つのタグを取得する
ことを特徴とする請求項１記載の情報提供装置。
【請求項３】
前記第２の取得手段は、前記第２のユーザによって指定された検索条件に基づいて前記少なくとも１つのタグを取得することを特徴とする請求項２記載の情報提供装置。
【請求項４】
第３の取得手段を更に具備し、
前記第２のユーザ情報は、前記第２のユーザを表現する複数のタグを含み、
前記第３の取得手段は、前記第２のユーザに対して興味があることが前記第１のユーザによって指示された場合に、前記第２のユーザ情報に含まれる複数のタグのうち、前記第１のユーザ端末において選択された少なくとも１つのタグを取得し、
前記情報提供手段は、前記第３の取得手段によって取得された少なくとも１つのタグを前記第２のユーザ端末に送信することを特徴とする請求項１記載の情報提供装置。
【請求項５】
前記第１のユーザは、学生を含み、
前記第２のユーザは、企業を含む
ことを特徴とする請求項１〜４のいずれか１項に記載の情報提供装置。
【請求項６】
前記第１の格納手段は、前記複数のタグに代えて、前記第１のユーザを表現する複数の画像を含む第１のユーザ情報を格納し、
前記第２の取得手段は、前記第２の格納手段に格納されている第１のユーザ情報に含まれる複数の画像のうち、前記第２のユーザ端末において選択された少なくとも１つの画像を取得し、
前記情報提供手段は、前記第２の格納手段に格納されている第２のユーザ情報、前記取得されたメッセージ及び前記取得された画像を前記第１のユーザ端末に送信する
請求項１記載の情報提供装置。
【請求項７】
第１のユーザによって使用される第１のユーザ端末と、前記第１のユーザとは異なる第２のユーザによって使用される第２のユーザ端末と、前記第１のユーザ端末及び前記第２のユーザ端末と通信可能に接続される情報提供装置とを備える情報提供システムにおいて、
前記第１のユーザ端末は、表示手段を含み、
前記第２のユーザ端末は、メッセージ作成手段及びタグ選択手段を含み、
前記情報提供装置は、第１の格納手段、第２の格納手段及び情報提供手段を含み、
前記第１の格納手段は、前記第１のユーザに関する第１のユーザ情報であって、当該第１のユーザを表現する複数のタグを含む第１のユーザ情報を格納し、
前記第２の格納手段は、前記第２のユーザに関する第２のユーザ情報を格納し、
前記メッセージ作成手段は、前記第２のユーザの操作に応じて、前記第２のユーザから前記第１のユーザへのメッセージを作成し、
前記タグ選択手段は、前記第２のユーザの操作に応じて、前記第１の格納手段に格納されている第１のユーザ情報に含まれる複数のタグのうち少なくとも１つのタグを選択し、
前記情報提供手段は、前記第２の格納手段に格納されている第２のユーザ情報、前記作成されたメッセージ及び前記選択されたタグを前記第１のユーザ端末に送信し、
前記表示手段は、前記送信された第２のユーザ情報、メッセージ及びタグを前記第１のユーザ端末に表示する
ことを特徴とする情報提供システム。
【請求項８】
第１のユーザによって使用される第１のユーザ端末及び前記第１のユーザとは異なる第２のユーザによって使用される第２のユーザ端末と通信可能に接続され、前記第１のユーザに関する第１のユーザ情報であって、当該第１のユーザを表現する複数のタグを含む第１のユーザ情報を格納する第１の格納手段と、前記第２のユーザに関する第２のユーザ情報を格納する第２の格納手段とを利用する情報提供装置が実行する情報提供方法であって、
前記第２のユーザ端末において作成された前記第２のユーザから前記第１のユーザへのメッセージを取得するステップと、
前記第１の格納手段に格納されている第１のユーザ情報に含まれる複数のタグのうち、前記第２のユーザ端末において選択された少なくとも１つのタグを取得するステップと、
前記第２の格納手段に格納されている第２のユーザ情報、前記取得されたメッセージ及び前記取得されたタグを前記第１のユーザ端末に送信するステップと
を具備することを特徴とする情報提供方法。
【請求項９】
第１のユーザによって使用される第１のユーザ端末及び前記第１のユーザとは異なる第２のユーザによって使用される第２のユーザ端末と通信可能に接続され、前記第１のユーザに関する第１のユーザ情報であって、当該第１のユーザを表現する複数のタグを含む第１のユーザ情報を格納する第１の格納手段と、前記第２のユーザに関する第２のユーザ情報を格納する第２の格納手段と有する記憶装置を利用するコンピュータを備える情報提供装置において、前記コンピュータによって実行されるプログラムであって、
前記コンピュータに、
前記第２のユーザ端末において作成された前記第２のユーザから前記第１のユーザへのメッセージを取得するステップと、
前記第１の格納手段に格納されている第１のユーザ情報に含まれる複数のタグのうち、前記第２のユーザ端末において選択された少なくとも１つのタグを取得するステップと、
前記第２の格納手段に格納されている第２のユーザ情報、前記取得されたメッセージ及び前記取得されたタグを前記第１のユーザ端末に送信するステップと
を実行させるためのプログラム。
【発明の詳細な説明】
【技術分野】
【０００１】
本発明は、情報提供装置、情報提供システム、情報提供方法及びプログラムに関する。
【背景技術】
【０００２】
近年では、社会的なネットワークの構築を支援するソーシャルネットワーキングサービス（以下、ＳＮＳと表記）が広く普及している。
【０００３】
このＳＮＳを利用することによって、ユーザは、様々な情報を発信することが可能であるとともに、他のユーザが発信する情報を容易に得ることも可能である。
【０００４】
ところで、ＳＮＳは、例えば学生の就職活動等に用いられる場合がある。具体的には、就職活動を行う学生が興味のある企業の発信する情報をＳＮＳ上で閲覧することができる。一方、企業が就職活動を行う学生の発信する情報をＳＮＳ上で閲覧することも考えられる。
【先行技術文献】
【特許文献】
【０００５】
【特許文献１】特開２０１１−０４８６４０号公報
【発明の概要】
【発明が解決しようとする課題】
【０００６】
しかしながら、上記したようにＳＮＳを学生の就職活動に用いたとしても、学生及び企業が互いに各々が発信した情報を閲覧することができるのみであり、当該学生及び企業のようなユーザ間で有用な情報が提供されているとはいえない。
【０００７】
そこで、本発明の目的は、ユーザにとって有用な情報を提供することが可能な情報提供装置、情報提供システム、情報提供方法及びプログラムを提供することにある。
【課題を解決するための手段】
【０００８】
本発明の１つの態様によれば、第１のユーザによって使用される第１のユーザ端末及び前記第１のユーザとは異なる第２のユーザによって使用される第２のユーザ端末と通信可能に接続される情報提供装置が提供される。前記情報提供装置は、第１の格納手段と、第２の格納手段と、第１の取得手段と、第２の取得手段と、情報提供手段とを具備する。前記第１の格納手段は、前記第１のユーザに関する第１のユーザ情報であって、当該第１のユーザを表現する複数のタグを含む第１のユーザ情報を格納する。前記第２の格納手段は、前記第２のユーザに関する第２のユーザ情報を格納する。前記第１の取得手段は、前記第２のユーザ端末において作成された前記第２のユーザから前記第１のユーザへのメッセージを取得する。前記第２の取得手段は、前記第１の格納手段に格納されている第１のユーザ情報に含まれる複数のタグのうち、前記第２のユーザ端末において選択された少なくとも１つのタグを取得する。前記情報提供手段は、前記第２の格納手段に格納されている第２のユーザ情報、前記取得されたメッセージ及び前記取得されたタグを前記第１のユーザ端末に送信する。
【発明の効果】
【０００９】
本発明は、ユーザにとって有用な情報を提供することを可能とする。
【図面の簡単な説明】
【００１０】
【図１】本発明の実施形態に係る情報提供装置を含む情報提供システムのハードウェア構成を示す図。
【図２】情報提供装置の主として機能以降性の一例を示すブロック図。
【図３】学生情報格納部のデータ構造の一例を示す図。
【図４】登録処理の処理手順の一例を示すシーケンスチャート。
【図５】学生の基本情報を登録するための登録画面の一例を示す図。
【図６】学生を表現する複数の画像を登録するための登録画面の一例を示す図。
【図７】学生を表現する複数のタグを登録するための登録画面の一例を示す図。
【図８】検索処理の処理手順の一例を示すシーケンスチャート。
【図９】検索結果画面の一例を示す図。
【図１０】メッセージ送信処理の処理手順の一例を示すシーケンスチャート。
【図１１】メッセージ作成画面の一例を示す図。
【図１２】メッセージ確認画面の一例を示す図。
【図１３】企業がメッセージを送信した複数の学生の状態を示す画面の一例を示す図。
【発明を実施するための形態】
【００１１】
以下、図面を参照して、本発明の実施形態について説明する。
【００１２】
図１は、本実施形態に係る情報提供装置を含むネットワークシステム（情報提供システム）のハードウェア構成を示す図である。
【００１３】
図１に示す情報提供システムは、主として、情報提供装置１０、複数の学生端末２０及び複数の企業端末３０を備える。なお、図１において、学生端末２０及び企業端末３０はそれぞれ１つのみが示されている。
【００１４】
情報提供装置１０は、例えばハードウェアプロセッサであるＣＰＵ等を含むコンピュータ（サーバコンピュータ）１０ａ及び当該コンピュータ１０ａによって利用される（当該コンピュータ１０ａと接続された）ハードディスクドライブのような記憶装置１０ｂとを備える。この記憶装置１０ｂは、コンピュータ１０ａによって実行されるプログラム１０ｃを格納する。
【００１５】
学生端末２０は、例えば学生等を含むユーザ（第１のユーザ）によって使用される端末であり、例えばスマートフォン、タブレット端末及びノートブック型パーソナルコンピュータ等によって実現される。
【００１６】
企業端末３０は、例えば企業等（の担当者）を含むユーザ（第２のユーザ）によって使用される端末であり、学生端末２０と同様に、例えばスマートフォン、タブレット端末及びノートブック型パーソナルコンピュータ等によって実現される。
【００１７】
本実施形態に係る情報提供装置１０（を含む情報提供システム）は、例えば学生端末２０を使用する学生及び企業端末３０を使用する企業（の担当者）間で有用な情報を提供するために用いられる。具体的には、情報提供装置１０は、学生の就職活動等において用いることができる。
【００１８】
図２は、図１に示す情報提供装置１０の主として機能構成を示すブロック図である。図２に示すように、情報提供装置１０は、学生情報登録部１１、学生情報格納部１２、企業情報登録部１３、企業情報格納部１４、検索処理部１５、メッセージ取得部１６、タグ取得部１７及び情報提供部１８を含む。
【００１９】
学生情報登録部１１は、情報提供システムを利用する学生を登録する処理を実行する。この場合、学生情報登録部１１は、情報提供システムに登録する学生に関する情報（以下、学生情報と表記）を学生端末２０から受信する。学生情報登録部１１は、受信された学生情報を学生情報格納部１２に登録（格納）する。なお、学生情報格納部１２に登録される学生情報には、学生を表現する複数の画像及び複数のタグ等が含まれる。学生情報に含まれるタグは、例えば文字列等から構成される。学生情報格納部１２には、情報提供システムを利用する学生毎に学生情報が格納される。
【００２０】
企業情報登録部１３は、情報提供システムを利用する企業を登録する処理を実行する。この場合、企業情報登録部１３は、情報提供システムに登録する企業に関する情報（以下、企業情報と表記）を当該企業端末３０から受信する。企業情報登録部１３は、受信された企業情報を企業情報格納部１４に登録（格納）する。なお、企業情報格納部１４に登録される企業情報には、企業を表現する複数の画像及び複数のタグ等が含まれる。企業情報に含まれるタグは、学生情報に含まれるタグと同様に、例えば文字列等から構成される。企業情報格納部１４には、情報提供システムを利用する企業毎に企業情報が格納される。
【００２１】
検索処理部１５は、例えば企業端末３０を使用する企業（の担当者）によって指定された検索条件を当該企業端末３０から受信する。検索処理部１５は、受信された検索条件及び学生情報格納部１２に格納されている学生情報に基づいて、情報提供システムに登録されている学生のうち、当該検索条件に合致する学生（に関する学生情報）を検索する。
【００２２】
メッセージ取得部１６は、企業端末３０を使用する企業（の担当者）から検索処理部１５によって検索された学生へのメッセージを取得する。このメッセージは、例えば企業端末３０において作成され、当該企業端末３０から情報提供装置１０に送信される。
【００２３】
タグ取得部１７は、検索処理部１５によって検索された学生に関する学生情報に含まれる複数のタグのうち少なくとも１つのタグを取得する。このタグは、例えば企業端末３０において選択され、当該企業端末３０から情報提供装置１０に送信される。
【００２４】
情報提供部１８は、企業端末３０を使用する企業に関する企業情報を取得する。ここで情報提供部１８によって取得される企業情報は、検索処理部１５による検索処理の際に検索条件を指定した企業（つまり、学生へのメッセージを作成した企業端末３０を使用する企業）に関する企業情報である。情報提供部１８は、取得された企業情報、メッセージ取得部１６によって取得されたメッセージ及びタグ取得部１７によって取得されたタグを当該メッセージの送信先となる学生（つまり、検索処理部１５によって検索された学生）によって使用される学生端末２０に送信する。
【００２５】
この企業情報、メッセージ及びタグは、学生端末２０において受信され、当該学生端末２０に表示される。
【００２６】
図３は、図２に示す学生情報格納部１２のデータ構造の一例を示す。学生情報格納部１２には、上記したように情報提供システムを利用する学生毎に学生情報が格納されている。
【００２７】
図３に示すように、学生情報には、学生ＩＤ、基本情報、複数の画像及び複数のタグが格納されている。学生ＩＤは、情報提供システムを利用する学生を識別するための識別子である。
【００２８】
基本情報は、対応づけられている学生ＩＤによって識別される学生の基本的な情報を含む。具体的には、基本情報は、例えば学生の氏名、メールアドレス、所属大学名（所属学部及び所属学科）、文系または理系の区分、卒業予定時期、現在の住所、出身地、出身高校、興味のある業界及び職種等が含まれる。なお、基本情報に含まれるこれらの情報は一例であり、基本情報には、これら以外の情報が含まれていてもよいし、これらの情報の一部が含まれていなくてもよい。
【００２９】
画像は、対応づけられている学生ＩＤによって識別される学生を表現する画像（写真）を含む。
【００３０】
タグは、対応づけられている学生ＩＤによって識別される学生を表現する文字列（キーワード）である。
【００３１】
図３に示す例では、学生情報格納部１２には、学生情報１２１及び１２２を含む複数の学生情報が格納されている。以下、学生情報１２１は学生Ａに関する学生情報であり、学生情報１２２は学生Ｂに関する学生情報であるものとして説明する。
【００３２】
学生情報１２１は、学生ＩＤ「学生ＩＤ１」、基本情報「基本情報１」、複数の画像「画像１−１，１−２，…」及び複数のタグ「タグ１−１，１−２，…」を含む。この学生情報１２１によれば、「学生ＩＤ１」によって識別される学生Ａの基本的な情報は「基本情報１」であり、当該学生Ａを表す複数の画像が「画像１−１，１−２，…」であり、当該学生Ａを表す複数のタグが「タグ１−１，１−２，…」であることが示されている。
【００３３】
また、学生情報１２２は、学生ＩＤ「学生ＩＤ２」、基本情報「基本情報２」、複数の画像「画像２−１，２−１，…」及び複数のタグ「タグ２−１，２−２，…」を含む。この学生情報１２２によれば、「学生ＩＤ２」によって識別される学生Ｂの基本的な情報は「基本情報２」であり、当該学生Ｂを表す複数の画像が「画像２−１，２−２，…」であり、当該学生Ｂを表す複数のタグが「タグ２−１，２−２，…」であることが示されている。
【００３４】
ここでは、学生情報１２１及び１２２についてのみ説明したが、他の学生情報についても同様である。
【００３５】
また、図３においては学生情報格納部１２のデータ構造について説明したが、企業情報格納部１４についても同様のデータ構造を有する。すなわち、図示しないが、企業情報格納部１４に格納されている企業情報は、情報提供システムを利用する企業を識別するための企業ＩＤ、当該企業の基本的な情報を含む基本情報、当該企業を表現する複数の画像及び当該企業を表現する複数のタグを含む。企業情報に含まれる基本情報は、例えば企業名、住所、担当者氏名、電話番号、メールアドレス、ホームページのＵＲＬ、従業員数、会社設立年及び業界等が含まれる。基本情報に含まれるこれらの情報は一例であり、基本情報には、これらの以外の情報が含まれていてもよいし、これらの情報の一部が含まれていなくてもよい。
【００３６】
なお、企業情報格納部１４には、上記したように情報提供システムを利用する企業毎に企業情報が格納されている（つまり、複数の企業情報が格納されている）。
【００３７】
以下、本実施形態に係る情報提供システムの動作について説明する。以下においては、情報提供システムを利用する学生及び企業を登録する処理（以下、登録処理と表記）、企業（の担当者）が学生を検索する処理（以下、検索処理と表記）及び企業（の担当者）が学生に対してメッセージを送信する処理（以下、メッセージ送信処理）の各々について説明する。
【００３８】
まず、図４のシーケンスチャートを参照して、登録処理の処理手順について説明する。ここでは、学生を登録する処理について主に述べる。
【００３９】
学生が情報提供システムを利用しようとする場合、当該学生は、例えば専用のアプリケーションプログラムを学生端末２０上で起動する。
【００４０】
専用のアプリケーションプログラムが起動されると、学生端末２０には、登録画面が表示される（ステップＳ１）。
【００４１】
この場合、学生端末２０には、例えば図５に示す学生の基本情報を登録するための登録画面１０１が表示される。学生は、学生端末２０を操作することによって、登録画面１０１に対して当該学生の氏名、メールアドレス、所属大学（名）、所属学部及び所属学科等を入力することができる。登録画面１０１には、氏名、メールアドレス、所属大学、所属学部及び所属学科のみが示されているが、上記した基本情報に含まれる他の情報についても同様に入力することができる。
【００４２】
登録画面１０１に対して基本情報が入力されると、図６に示す学生を表現する複数の画像を登録するための登録画面１０２が表示される。この登録画面１０２において、学生は、例えば「写真を追加する」ボタンを押下（指定）して、学生端末２０内に格納されている複数の画像（写真）の中から登録すべき１の画像を選択する操作を行うことができる。このような操作が繰り返されことによって、学生端末２０は、複数の画像を選択する。なお、選択（登録）可能な画像の数は、予め定められているが、例えば４以上である。学生の操作に応じて選択された画像は、登録画面１０２中の「写真を追加する」ボタンの下部に表示される。なお、学生の操作に応じて選択された画像は、例えば登録画面１０２に表示されている画像の近傍に設けられている×印のマークを指定する操作を行うことによって削除（つまり、当該選択を解除）することも可能である。
【００４３】
ここでは、登録すべき画像を１つずつ選択する場合について説明したが、例えば学生端末２０に格納されている複数の画像の一覧の中から登録すべき複数の画像を一括で選択することができるようにしても構わない。
【００４４】
また、学生の操作に応じて選択された画像の各々に対して当該画像の説明（コメント等）を付加することができるようにしても構わない。
【００４５】
登録画面１０２において画像が選択されると、図７に示す学生を表現する複数のタグを登録するための登録画面１０３が表示される。この登録画面１０３において、学生は、例えば「タグ追加」ボタンを押下して、例えば登録すべきタグを作成（または編集）する操作を行うことができる。このような操作を繰り返すことによって、学生端末２０は、複数のタグを作成する。なお、登録可能なタグの数は、例えば５以上、かつ、１０以下である。また、タグは、２０文字以内であれば学生の自由に作成することができるものとする。学生の操作に応じて作成されたタグは、図７に示すように、例えば登録画面１０３中に表示される。学生の操作に応じて作成された画像は、登録画面１０３に表示されているタグの近傍に設けられている×印のマークを指定する操作を行うことによって削除することも可能である。
【００４６】
また、タグの作成のヒントとして、例えば他の学生のタグを例として提示するような構成としてもよい。また、基本情報に基づいて自動的にタグ（例えば、所属大学名等）が生成されるようにしても構わない。
【００４７】
次に、登録画面１０１において入力された基本情報、登録画面１０２において選択された複数の画像及び登録画面１０３において作成された複数のタグに基づいて学生情報が生成される（ステップＳ２）。具体的には、情報提供システムに登録する学生を識別するための学生ＩＤに対応づけて基本情報、複数の画像及び複数のタグを含む学生情報が生成される。
【００４８】
ステップＳ２において生成された学生情報は、学生端末２０から情報提供装置１０に送信される（ステップＳ３）。
【００４９】
情報提供装置１０に含まれる学生情報登録部１１は、学生端末２０から送信された学生情報を受信する。学生情報登録部１１は、受信された学生情報を学生情報格納部１２に登録する（ステップＳ４）。
【００５０】
上記した図４に示す登録処理が実行されることによって、学生は、情報提供システムに登録され、当該情報提供システムを利用することが可能となる。
【００５１】
ここでは、学生を登録する場合について説明したが、企業を登録する場合についても同様である。この場合、図４に示すステップＳ１においては、企業の基本情報、当該企業を表現する複数の画像及び当該企業を表現する複数のタグを登録するための登録画面が表示される。ステップＳ２においては、企業を識別するための企業ＩＤに対応づけて基本情報、複数の画像及び複数のタグを含む企業情報が生成される。ステップＳ３においては、ステップＳ２において生成された企業情報が企業端末３０から情報提供装置１０に送信される。ステップＳ４においては、企業端末３０から送信された企業情報が企業情報格納部１４に登録される。このような処理が実行されることによって、企業は、情報提供システムに登録され、当該情報提供システムを利用することが可能となる。
【００５２】
なお、学生は専用のアプリケーションプログラム上で上記した各種操作を行うものとして説明したが、企業端末３０においては、例えばブラウザ（Ｗｅｂサイト）上で各種操作を行うものとする。なお、企業端末３０においても、専用のアプリケーションプログラム上で各種操作を行うようにしても構わない。
【００５３】
次に、図８のシーケンスチャートを参照して、検索処理の処理手順について説明する。企業の担当者が学生を検索しようとする場合、当該担当者は、例えば企業端末３０上でブラウザを起動し、情報提供装置１０によって提供されるＷｅｂサイトを表示する。この場合、企業端末３０には、学生を検索するための検索条件を指定する画面（以下、検索画面と表記）を表示することができる（ステップＳ１１）。
【００５４】
ここで、企業の担当者は、企業端末３０に表示された検索画面上では、上記した検索条件を指定する操作を行うことができる。検索条件には、例えば学生の所属大学（出身校）や、文系または理系の区分等が含まれる。更に、検索条件には、キーワード等が含まれていても構わない。
【００５５】
企業端末３０は、検索画面上での企業の担当者の操作に応じて検索条件を取得する（ステップＳ１２）。企業端末３０は、取得された検索条件を、情報提供装置１０に送信する（ステップＳ１３）。
【００５６】
情報提供装置１０に含まれる検索処理部１５は、企業端末３０から情報提供装置１０に送信された検索条件を受信する。検索処理部１５は、受信された検索条件及び学生情報格納部１２に格納されている学生情報に基づいて、当該検索条件に合致する学生に関する学生情報を検索する（ステップＳ１４）。
【００５７】
具体的には、検索条件に例えば所属大学が含まれている場合には、検索処理部１５は、学生情報格納部１２に格納されている学生情報のうち、当該所属大学を含む学生情報を当該学生情報格納部１２から検索（取得）する。また、検索条件に例えばキーワードが含まれている場合には、検索処理部１５は、学生情報格納部１２に格納されている学生情報のうち、当該キーワードを含むタグ等を含む学生情報を当該学生情報格納部１２から検索（取得）する。なお、検索処理部１５による検索処理においては、例えば学習機能等によって検索精度を向上するようにしても構わない。ここで説明した検索処理は一例であり、他の手法により学生情報が検索されても構わない。
【００５８】
検索処理部１５は、ステップＳ１４の処理における検索結果を企業端末３０に送信する（ステップＳ１５）。なお、ステップＳ１５において送信される検索結果には、検索処理部１５によって検索された学生情報（つまり、検索条件に合致する学生に関する情報）が含まれる。
【００５９】
企業端末３０は、検索処理部１５（を含む情報提供装置１０）から送信された検索結果を受信する。企業端末３０は、受信された検索結果を含む画面（以下、検索結果画面と表記）を当該企業端末３０に表示する（ステップＳ１６）。
【００６０】
ここで、図９は、企業端末３０に表示される検索結果画面の一例を示す。図９に示すように、検索結果画面２００には、検索条件に合致する学生毎に、学生情報が表示される。具体的には、検索結果画面２００には、学生情報に含まれる複数の画像及び複数のタグが表示される。
【００６１】
なお、学生情報に含まれる複数の画像及び複数のタグは、上記したように学生を表現するものであり、当該学生が自由に選択及び作成したものである。よって、このような検索結果画面２００によれば、企業端末３０を使用する企業の担当者は、検索条件に合致する学生の顔、性格及び趣味等を直感的に把握することが可能となる。
【００６２】
また、検索結果画面２００には、検索条件に合致する学生毎に、当該学生に対応する詳細ボタン２０１及びメッセージボタン２０２が設けられている。
【００６３】
詳細ボタン２０１は、当該詳細ボタン２０１に対応する学生の詳細を表示するためのボタンである。検索結果画面２００において詳細ボタン２０１が押下（指定）された場合には、当該詳細ボタン２０１に対応する学生に関する学生情報の上記した複数の画像及び複数のタグ以外の情報（例えば、興味のある業界及び職種等）が表示される。
【００６４】
メッセージボタン２０２は、当該メッセージボタン２０２に対応する学生に対してメッセージを送信するためのボタンである。検索結果画面２００においてメッセージボタン２０２が押下（指定）された場合には、学生に対して送信するメッセージを作成するためのメッセージ作成画面が表示される。
【００６５】
また、検索結果画面２００においては、検索条件に合致する学生の各々に対応するチェックボックス２０３が設けられている。検索結果画面２００においてチェックボックス２０３を指定する操作が行われることによって、当該チェックボックス２０３に対応する学生を選択することができる。
【００６６】
なお、検索結果画面２００の上部には、例えば検索条件に合致する学生の全てを選択するためのチェックボックス２０４も設けられている。このチェックボックス２０４が指定された場合には、検索条件に合致する学生の全てが選択される。
【００６７】
検索結果画面２００の下部には、「一括でメッセージを送信する」ボタン２０５が設けられている。このボタン２０５が指定された場合には、上記したメッセージ作成画面が表示され、当該メッセージ作成画面において作成したメッセージを、チェックボックス２０３及び２０４を指定する操作が行われることによって選択された複数の学生（が使用する学生端末２０）に対して一括で送信することができる。
【００６８】
次に、図１０のシーケンスチャートを参照して、メッセージ送信処理の処理手順について説明する。ここでは、上記した検索画面において検索条件を指定する操作を行った企業（以下、対象企業と表記）の担当者によって使用される企業端末３０に、上記した検索結果画面２００が表示されているものとする。
【００６９】
対象企業の担当者は、検索結果画面２００に対して、所望の学生（当該対象企業が興味のある学生）にメッセージを送信する操作を行うことができる。なお、以下の説明において、対象企業が興味のある学生（つまり、対象企業からメッセージを送信する学生）を便宜的に対象学生と称する。
【００７０】
この場合、対象企業の担当者は、上記した検索結果画面２００に設けられている対象学生に対応するメッセージボタン２０２を押下する操作を行う。これにより、対象企業からのメッセージの送信先として対象学生が指定される（ステップＳ２１）。
【００７１】
ステップＳ２１において対象学生が指定された場合、対象企業によって使用される企業端末３０にはメッセージ作成画面が表示される（ステップＳ２２）。
【００７２】
メッセージ作成画面においては、対象企業からステップＳ２１において指定された対象学生へのメッセージが作成される（ステップＳ２３）。
【００７３】
また、メッセージ作成画面においては、対象学生を表す複数のタグ（対象学生に関する学生情報に含まれる複数のタグ）のうち、対象企業が興味を持ったタグが選択される（ステップＳ２４）。
【００７４】
ここで、図１１を参照して、上記したステップＳ２２及びＳ２３の処理について具体的に説明する。図１１は、メッセージ作成画面の一例を示す。
【００７５】
図１１に示すように、メッセージ作成画面３００には、メッセージ作成欄３０１、個別タグ選択欄３０２及び「メッセージを送信する」ボタン３０３が設けられている。
【００７６】
メッセージ作成欄３０１は、対象企業から対象学生へのメッセージを作成するために設けられている。対象企業の担当者は、企業端末３０を操作することによって、メッセージ作成欄３０１にメッセージのタイトル及び本文等を入力することができる。このような企業端末３０に対する操作により、企業端末３０は、対象企業から対象学生へのメッセージを作成することができる。また、メッセージ作成欄３０１においては、例えばインターン等で対象学生が対象企業に訪れる場合における交通費支給の有無及び金額等を指定することも可能である。
【００７７】
個別タグ選択欄３０２は、対象学生を表現する複数のタグのうち、対象企業が興味を持ったタグを選択するために設けられている。個別タグ選択欄３０２には、対象学生に関する学生情報に含まれる複数のタグ（の一覧）が表示されている。なお、対象学生に関する学生情報は、上述した図８に示すステップＳ１５において情報提供装置１０から企業端末３０に送信された検索結果に含まれている。
【００７８】
個別タグ選択欄３０２においては、対象学生に関する学生情報に含まれる複数のタグ（以下、対象学生のタグと表記）のうちの少なくとも１つ以上を選択（指定）可能である。なお、個別タグ選択欄３０２においては、例えば１人の学生につき５つまでタグを選択することができるものとする。
【００７９】
「メッセージを送信する」ボタン３０３は、メッセージの送信を指示するために設けられている。上記したメッセージ作成欄３０１を介してメッセージが作成され、個別タグ選択欄３０２において対象学生のタグが選択された後に、「メッセージを送信する」ボタン３０３が押下（指定）された場合には、当該作成されたメッセージ及び選択された対象学生のタグが当該対象学生によって使用される学生端末２０に送信される。
【００８０】
ここで、上記したように検索結果画面２００においては、複数の学生を選択してメッセージを送信することができる。すなわち、検索結果画面２００において複数の学生が選択されている場合、メッセージ作成画面１００には、当該選択された学生の各々に対応する複数の個別タグ選択欄３０２が表示される。この場合、複数の個別タグ選択欄３０２の全て（つまり、選択された学生の全て）において個別にタグを選択していく必要があり、非常に煩雑である。
【００８１】
このため、本実施形態においては、一括タグ選択欄３０４が設けられているものとする。企業の担当者は、企業端末３０を操作することにより、一括タグ選択欄３０４に例えばキーワード（文字列）を入力することができる。一括タグ選択欄３０４にキーワードが入力された状態で一括タグ選択欄３０４内のボタン３０５が押下（指定）された場合には、例えば複数の学生の各々に対応する個別タグ選択欄３０２に表示されている当該学生の複数のタグのうち、当該キーワードを含むタグが一括して選択されるものとする。これによれば、上記した複数の個別タグ選択欄３０２において個別にタグを選択する場合と比較して、簡易な操作で所望のタグを選択することが可能となる。なお、一括タグ選択欄３０４には、例えば上述した図８に示すステップＳ１４における検索処理において検索条件として指定されたキーワード等が自動的に入力されるような構成であっても構わない。
【００８２】
再び図１０に戻ると、上記したステップＳ２３及びＳ２４の処理が実行された後に、メッセージ作成画面３００に設けられている「メッセージを送信する」ボタン３０３が押下された場合、対象企業を識別するための企業ＩＤ、当該ステップＳ２３において作成されたメッセージ及びステップＳ２４において選択されたタグ（対象学生のタグ）が企業端末３０から情報提供装置１０に送信される（ステップＳ２５）。
【００８３】
情報提供装置１０に含まれるメッセージ取得部１６は、ステップＳ２５において企業端末３０から送信されたメッセージを取得（受信）する。また、情報提供装置１０に含まれるタグ取得部１７は、ステップＳ２５において企業端末３０から送信された対象学生のタグを取得する。
【００８４】
次に、情報提供装置１０に含まれる情報提供部１８は、ステップＳ２５において企業端末３０から送信された企業ＩＤを含む企業情報を、企業情報格納部１４から取得する（ステップＳ２６）。
【００８５】
情報提供部１８は、ステップＳ２６において取得された企業情報と、メッセージ取得部１６によって取得されたメッセージ及びタグ取得部１７によって取得された対象学生のタグとを、対象学生によって使用される学生端末２０に送信する（ステップＳ２７）。
【００８６】
学生端末２０は、情報提供部１８によって送信された企業情報、メッセージ及び対象学生のタグを受信する。なお、学生端末２０上で上記した専用のアプリケーションプログラムが起動されていない場合、企業情報、メッセージ及び対象学生のタグは、例えば当該専用のアプリケーションプログラムが学生端末２０上で起動された際に受信されればよい。
【００８７】
この場合、学生端末２０は、受信された企業情報、メッセージ及び対象学生のタグを含む画面（以下、メッセージ確認画面と表記）を表示する（ステップＳ２８）。
【００８８】
ここで、図１２は、メッセージ確認画面の一例を示す。図１２に示すように、メッセージ確認画面４００には、メッセージ表示欄４０１、画像表示欄４０２、第１のタグ表示欄４０３及び第２のタグ表示欄４０４が設けられている。
【００８９】
メッセージ表示欄４０１は、学生端末２０によって受信されたメッセージ（つまり、対象企業から対象学生へのメッセージ）を表示するために設けられている。
【００９０】
画像表示欄４０２は、学生端末２０によって受信された企業情報（対象企業に関する企業情報）に含まれる複数の画像（企業を表す複数の画像）を表示するために設けられている。
【００９１】
第１のタグ表示欄４０３は、学生端末２０によって受信された企業情報に含まれる複数のタグ（企業を表す複数のタグ）を表示するために設けられている。
【００９２】
第２のタグ表示欄４０４は、学生端末２０によって受信された対象学生のタグ（企業が興味を持った対象学生のタグ）を表示するために設けられている。
【００９３】
このようなメッセージ確認画面４００が学生端末２０に表示されることによって、対象学生は、対象企業から当該対象学生へのメッセージを確認することができるとともに、画像表示欄４０２に表示されている画像及び第１のタグ表示欄４０３に表示されている複数のタグから対象企業の雰囲気等を把握することができ、更には、第２のタグ表示欄４０４に表示されている対象学生のタグから対象企業が対象学生に興味を持った点を把握することができる。
【００９４】
なお、メッセージ確認画面４００の下部には「興味あり」ボタン４０５及び「興味なし」ボタン４０６が設けられており、対象学生は、学生端末２０に対して、当該「興味あり」ボタン４０５及び「興味なし」ボタン４０６の一方を押下（指定）する操作を行うことができる。これにより、学生端末２０は、対象学生の操作に応じて、「興味あり」ボタン４０５または「興味なし」ボタン４０６が押下されたことを判別することができる。
【００９５】
なお、「興味あり」ボタン４０５は、対象学生が対象企業に対して興味があることを返信（指示）するためのボタンである。一方、「興味なし」ボタン４０６は、対象学生が対象企業に対して興味がないことを返信（指示）するためのボタンである。
【００９６】
ここで、再び図１０に戻って、「興味あり」ボタン４０５が押下された場合を想定する（ステップＳ２９）。
【００９７】
この場合、学生端末２０は、例えば図１１に示す個別タグ選択欄３０２と同様のタグ選択欄を含む画面（以下、タグ選択画面と表記）を表示する。このタグ選択画面（タグ選択欄）には、対象企業に関する企業情報に含まれる複数のタグ（以下、対象企業のタグと表記）が表示される。タグ選択画面を介して、対象学生は、対象企業の複数のタグのうち、対象学生が興味を持ったタグを選択する操作を行うことができる。学生端末２０は、このような対象学生の操作に応じて、少なくとも１つ以上の対象企業のタグを選択する（ステップＳ３０）。
【００９８】
ステップＳ３０の処理が実行されると、学生端末２０は、「興味あり」ボタン４０５が押下されたこと及びステップＳ３０において選択された対象企業のタグを情報提供装置１０に送信する（ステップＳ３１）。
【００９９】
ステップＳ３１において「興味あり」ボタン４０５が押下されたことが送信された場合、情報提供装置１０に含まれる情報提供部１８は、対象学生に関する学生情報に含まれる例えば氏名及び連絡先（電話番号またはメールアドレス）を取得する（ステップＳ３２）。
【０１００】
情報提供部１８は、ステップＳ３２において取得された氏名及び連絡先と、ステップＳ３１において学生端末２０から送信された対象企業のタグとを、当該対象企業によって使用される企業端末３０に送信する（ステップＳ３３）。
【０１０１】
企業端末３０は、ステップＳ３３において情報提供部１８から送信された対象学生の氏名及び連絡先と対象企業のタグとを受信する。企業端末３０は、受信された対象学生の氏名、連絡先及び対象企業のタグを表示する（ステップＳ３４）。
【０１０２】
これにより、企業端末３０を使用する対象企業（の担当者）は、表示された対象学生の氏名及び連絡先を使用することによって当該対象学生に対して直接連絡を取ることができるとともに、表示された対象企業のタグから当該対象学生が当該対象企業に対して興味を持った点を把握することができる。
【０１０３】
本実施形態においては、対象企業に興味のある対象学生の氏名及び連絡先（例えば、メールアドレス等）が当該対象企業に対して公開されることにより、当該対象企業が対象学生に連絡を取ることができるものとして説明したが、より容易に連絡を取ることを可能にするために例えば企業端末３０においてメッセージアプリ（メッセンジャー）が起動され、対象学生に対してメッセージを送信可能とするような構成としても構わない。
【０１０４】
なお、上記した対象学生が「興味あり」ボタン４０５または「興味なし」ボタン４０６を選択する操作をしたことは、情報提供装置１０において管理されているものとする。これによれば、例えば図１３に示すように、対象企業がメッセージを送信した複数の対象学生のうち、「興味あり」ボタン４０５を選択する操作をした学生の人数、「興味なし」ボタン４０６を選択する操作をした学生の人数、当該メッセージを読んでいない学生の人数、当該メッセージを読んだが「興味あり」ボタン４０５及び「興味なし」ボタン４０６を選択する操作をしていない学生の人数を含む画面が企業端末３０に表示されるようにすることも可能である。このような画面によれば、対象企業がメッセージを送信した対象学生の状態（当該メッセージに対して返信したか否か等）を企業（の担当者）に提示することができる。また、図１３に示すように、「興味あり」ボタン４０５を選択する操作をした学生の氏名及び連絡先の一覧が表示されるようにしてもよい。
【０１０５】
更に、例えば異なる検索条件で検索された学生に対して企業（の担当者）がメッセージを送信するような場合においては、既にメッセージを送信している学生に対して当該メッセージが送信されないようにすることも可能である。また、既にメッセージを送信している学生については検索対象としないようにすることも可能である。
【０１０６】
一方、学生端末２０においても、例えば「興味あり」ボタン４０５を選択する操作をした企業（つまり、当該学生端末２０を使用する学生が興味があると判断した企業）の一覧、または「興味なし」ボタン４０６を選択する操作をした企業（つまり、当該学生が興味がないと判断した企業）の一覧を表示可能としてもよい。また、学生端末２０（上で起動される専用のアプリケーションプログラム）は、例えば当該学生端末２０を使用する学生によって指定された企業からのメッセージを拒否（ブロック）するような機能を有していてもよい。更に、学生によって指定された企業をお気に入りとして追加する、または非表示とするようなことも可能である。
【０１０７】
上記したように本実施形態においては、企業端末３０（第２のユーザ端末）において作成された企業（第２のユーザ）から学生（第１のユーザ）へのメッセージを取得し、学生情報格納部１２に格納されている当該学生に関する情報（第１のユーザ情報）に含まれる複数のタグのうち当該企業端末３０において選択された少なくとも１つのタグを取得し、当該企業に関する企業情報、当該作成されたメッセージ及び当該選択されたタグを学生端末（第１のユーザ端末）に送信する。
【０１０８】
本実施形態においては、このような構成により、例えば企業に関する企業情報及びメッセージとともに、学生を表現する複数のタグのうち企業端末３０において選択された少なくとも１つのタグを学生端末２０に表示することが可能であるため、当該学生端末２０を使用する学生は企業が当該学生に興味を持った点を把握することができるため、就職活動等において有用な情報を当該学生に提供することが可能となる。
【０１０９】
また、本実施形態においては、企業によって指定された検索条件に基づいて検索された学生に関する学生情報に含まれる複数のタグ及び複数の画像を検索結果として企業端末に送信（表示）し、当該検索結果が送信された企業端末３０においては当該検索結果に基づいてタグが選択される。これによれば、企業の担当者は、企業端末３０に表示される複数のタグ及び複数の画像に基づいて学生を把握することができるため、例えば一般的な自己紹介文等の文章のみから判断するよりも、より多面的な情報からより直感的に企業にとって有用な学生を判断することが可能となる。
【０１１０】
なお、ここでは企業端末３０においてタグ（学生のタグ）が選択されるものとして説明したが、例えば当該企業端末３０において画像（写真）が選択され、当該画像が学生端末２０に送信されても構わない。このような画像が学生端末２０に表示された場合であっても、学生は、企業が当該学生に興味を持った点を容易に把握することができる。この場合、タグ及び画像の一方のみが選択（送信）されても構わないし、タグ及び画像の両方が選択（送信）されても構わない。なお、学生端末２０においてタグが選択される場合においても同様に、当該タグに代えて画像（写真）が選択されてもよいし、タグ及び画像の両方が選択されても構わない。
【０１１１】
また、本実施形態においては、例えば企業の担当者の操作に応じて企業端末３０において選択された学生のタグを取得するものとして説明したが、当該学生のタグは、例えば学生を検索するために指定された検索条件（キーワード）に基づいて取得（選択）されても構わない。具体的には、検索条件として指定されたキーワードを含むタグを自動的に取得することにより、企業の担当者が当該タグを個別に選択する操作を行う必要がないため、利便性を向上させることが可能となる。
【０１１２】
更に、本実施形態においては、企業から学生に対してメッセージが送信された後に、当該企業に対して興味があることが当該学生によって指示（返信）された場合、当該企業に関する企業情報に含まれる複数のタグのうちの学生端末２０において選択された少なくとも１つのタグを取得し、当該取得された少なくとも１つのタグが企業端末３０に送信される。本実施形態においては、このような構成により、企業の担当者は学生が当該企業に興味を持った点を把握することが可能であるため、企業の採用活動等において有用な情報を当該企業に提供することが可能となる。なお、企業に対して興味があるという返信は、上記したメッセージ確認画面４００に設けられている「興味あり」ボタン４０５を選択する操作（例えば、ワンタップ操作）のみで行うことが可能である。
【０１１３】
また、学生によって「興味あり」ボタン４０５を選択する操作が行われた場合には、当該学生の氏名及び連絡先が企業に対して公開（送信）される。これによれば、企業は、当該企業に対して興味を持っている学生に対して個別に連絡することが可能となるため、円滑に採用活動を行うことが可能となる。
【０１１４】
なお、本実施形態においては、例えば企業から送信されたメッセージに対して学生が返信した（つまり、「興味あり」ボタン４０５または「興味なし」ボタン４０６を選択する操作をした）場合には、各種ポイント等を当該学生に付与するような構成としても構わない。このような構成によれば、学生の情報提供システムの利用を促進することが可能となる。
【０１１５】
また、本実施形態に係る情報提供システムは、上記したように学生の就職活動等に用いられるものとして主に説明したが、学生の就職活動以外にも、例えば各種ソーシャルネットワーキングサービス（ＳＮＳ）等において複数のユーザ間でメッセージを送信するような場合にも適用可能である。すなわち、例えば第１のユーザから第２のユーザへのメッセージとともに当該第２のユーザを表現する複数のタグのうち当該第１のユーザによって選択されたタグを送信することによって、第１のユーザが第２のユーザのどのような点に興味があったかを当該第２のユーザは容易に把握することができるため、当該第２のユーザにとって有用な情報を提供することができる。
【０１１６】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。  
【符号の説明】
【０１１７】
１０…情報提供装置、１０ａ…コンピュータ、１０ｂ…記憶装置、１１…学生情報登録部、１２…学生情報格納部、１３…企業情報登録部、１４…企業情報格納部、１５…検索処理部、１６…メッセージ取得部、１７…タグ取得部、１８…情報提供部、２０…学生端末、３０…企業端末。
【図１】
2018081547.tif 000003
【図２】
2018081547.tif 000004
【図３】
2018081547.tif 000005
【図４】
2018081547.tif 000006
【図５】
2018081547.tif 000007
【図６】
2018081547.tif 000008
【図７】
2018081547.tif 000009
【図８】
2018081547.tif 000010
【図９】
2018081547.tif 000011
【図１０】
2018081547.tif 000012
【図１１】
2018081547.tif 000013
【図１２】
2018081547.tif 000014
【図１３】
2018081547.tif 000015